(57)【特許請求の範囲】
【請求項１】
表示領域、及び前記表示領域を取り囲む非表示領域を含む液晶表示パネルと、
前記液晶表示パネルの下に位置して、第１辺、第２辺、第３辺、及び第４辺を含む多角形の平面形状を有する導光板と、
前記導光板の第１辺に隣接する光源と、を含み、
前記導光板の前記第１辺は、前記非表示領域と上下方向に重なり、
前記導光板の前記第２辺、前記第３辺、及び前記第４辺は、前記表示領域と上下方向に重なる、液晶表示装置。
【請求項２】
前記液晶表示パネル、前記導光板、及び前記光源を収納する下部カバーを含み、
前記下部カバーは、
第１底面と、
前記第１底面を取り囲んで、前記第１底面より浅い深さを有する第２底面と、
前記第１底面と前記第２底面を連結する傾斜面及び第１側面と、
前記第２底面と連結されて、前記第２底面を取り囲む第２側面と、を含み、
前記傾斜面は、前記導光板の前記第２辺、前記第３辺、及び前記第４辺の外側に位置し、
前記第１側面は、前記導光板の前記第１辺の外側に位置する、請求項１に記載の液晶表示装置。
【請求項３】
前記導光板は長方形に形成され、前記第１辺及び前記第２辺の長さは、前記第３辺及び前記第４辺より長い、請求項２に記載の液晶表示装置。
【請求項４】
前記傾斜面の上に位置する第１反射シートをさらに含む、請求項２に記載の液晶表示装置。
【請求項５】
前記第１反射シートは、鏡面反射シートで形成される、請求項４に記載の液晶表示装置。
【請求項６】
前記第１反射シートは、パターンが印刷されている拡散反射シートで形成される、請求項４に記載の液晶表示装置。
【請求項７】
前記パターンのサイズは、前記導光板から遠くなるほど大きくなる、請求項６に記載の液晶表示装置。
【請求項８】
前記導光板の前記第２辺、前記第３辺、及び前記第４辺の側面に、この側面から出射する光を、当該側面に垂直な方向に集光するためのプリズムパターンが備えられる、請求項２に記載の液晶表示装置。
【請求項９】
前記導光板の前記第２辺、前記第３辺、及び前記第４辺の側面は、上方へと向かうにつれて外側へと向かうように傾斜する逆テーパ形状を有する、請求項２に記載の液晶表示装置。
【請求項１０】
前記導光板の前記第２辺、前記第３辺、及び前記第４辺の下に位置する遮光部材をさらに含む、請求項２に記載の液晶表示装置。
【請求項１１】
前記遮光部材は、前記第１底面と前記傾斜面が連結される部分に付着される、請求項１０に記載の液晶表示装置。
【請求項１２】
前記光源は前記第１側面に付着される、請求項２に記載の液晶表示装置。
【請求項１３】
前記光源の光出射方向は、前記導光板の前記第１辺に向かう、請求項１２に記載の液晶表示装置。
【請求項１４】
表示領域、及び前記表示領域を取り囲む非表示領域を含む液晶表示パネルと、
前記液晶表示パネルの下に位置して、第１辺、第２辺、第３辺、及び第４辺を含む多角形の平面形状を有する導光板と、
前記導光板の第１辺に隣接する光源と、を含み、
前記導光板の前記第１辺、及び前記第１辺と対向する前記第２辺は、前記非表示領域と上下方向に重なり、
前記導光板の前記第３辺及び前記第４辺は、前記表示領域と上下方向に重なる、液晶表示装置。
【請求項１５】
前記液晶表示パネル、前記導光板、及び前記光源を収納する下部カバーを含み、
前記下部カバーは、
第１底面、
前記第１底面を取り囲んで、前記第１底面より浅い深さを有する第２底面と、
前記第１底面と前記第２底面を連結する傾斜面及び第１側面と、
前記第２底面と連結されて、前記第２底面を取り囲む第２側面と、を含み、
前記傾斜面は、前記導光板の前記第２辺と重なり、前記第３辺及び前記第４辺の外側に位置し、
前記第１側面は、前記導光板の前記第１辺の外側に位置する、請求項１４に記載の液晶表示装置。
【請求項１６】
前記導光板の前記第２辺の側面は傾斜を有する、請求項１５に記載の液晶表示装置。
【請求項１７】
前記導光板の前記第２辺の側面の傾斜は、前記下部カバーの前記傾斜面の傾斜と平行である、請求項１６に記載の液晶表示装置。
【請求項１８】
前記導光板の前記第３辺及び前記第４辺の外側に位置し、前記第３辺及び前記第４辺に隣接する前記傾斜面の上に位置する第１反射シートと、
前記導光板の前記第１〜４辺の内側にて前記導光板と前記下部カバーの間に位置し、前記導光板の前記第２辺の外側にて前記第２辺に隣接する前記傾斜面の上に位置する第２反射シートと、をさらに含む、請求項１６に記載の液晶表示装置。
【請求項１９】
前記導光板の前記第３辺及び前記第４辺の側面に付着されるプリズムをさらに含み、
前記第１反射シートは、鏡面反射シートまたはパターンが印刷されている拡散反射シートで形成され、
前記第２反射シートは、拡散反射シートで形成される、請求項１８に記載の液晶表示装置。
【発明の詳細な説明】
【技術分野】
【０００１】
本発明は、液晶表示装置に係わり、より詳しくは、厚さが薄くて、ベゼルのサイズが減少した液晶表示装置に関する。
【背景技術】
【０００２】
今日、幅広く利用されるコンピュータモニタ、テレビ、及び携帯電話機などには表示装置が必要である。表示装置には、陰極線管表示装置、液晶表示装置、及びプラズマ表示装置などがある。
【０００３】
液晶表示装置は、現在、最も幅広く使用されている平板表示装置の一つであって、画素電極と共通電極など電界生成電極が形成されている二枚の表示板と、その間に挿入される液晶層とからなり、電界生成電極に電圧を印加して液晶層に電界を生成し、これを通じて液晶層の液晶分子の配向を決定し、入射光の偏光を制御することによって映像を表示する。
【０００４】
このような液晶表示装置は自ら発光できないので、光源を必要とする。このとき、光源は、別途に具備された人工光源または自然光であってもよい。人工光源の場合、発生した光が表示板の全体に均一な輝度を有して到達するようにする導光板（ＬＧＰ、ＬｉｇｈｔＧｕｉｄｅ  Ｐｌａｔｅ）を必要とする。
【０００５】
光源から出射した光は、導光板の側面に入射し、上部面から出射して、液晶表示パネルに到達するようになる。液晶表示パネルは、表示領域及び非表示領域からなり、このとき、表示領域の全体に光が到達できるように導光板を配置するのが好ましい。このために、導光板のサイズは、表示領域よりも大きく設計するのが一般的である。
【０００６】
最近は、液晶表示装置の厚さ及びベゼルのサイズを小さくするための技術が開発されている。しかし、導光板による液晶表示装置の厚さ及びベゼルのサイズの減少には限界があるという問題点ある。
【発明の概要】
【発明が解決しようとする課題】
【０００７】
本発明は、上記問題点に鑑みてなされたものであり、本発明の目的は、厚さが薄くて、ベゼルのサイズが減少した液晶表示装置を提供することにある。
【課題を解決するための手段】
【０００８】
上記課題を解決するために、本発明の一実施形態による液晶表示装置は、表示領域、及び前記表示領域を取り囲む非表示領域を含む液晶表示パネルと、前記液晶表示パネルの下に位置して、第１辺、第２辺、第３辺、及び第４辺を含む多角形の平面形状を有する導光板と、前記導光板の第１辺に隣接する光源と、を含み、前記導光板の第２辺、第３辺、及び第４辺のうちの少なくとも一つは、前記表示領域と重なることを特徴とする。
【０００９】
前記導光板の前記第１辺は、前記非表示領域と重なり、前記導光板の前記第２辺、前記第３辺、及び前記第４辺は、前記表示領域と重なってもよい。
【００１０】
前記液晶表示パネル、前記導光板、及び前記光源を収納する下部カバーを含み、前記下部カバーは、第１底面と、前記第１底面を取り取り囲んで、前記第１底面より浅い深さを有する第２底面と、前記第１底面と前記第２底面を連結する傾斜面及び第１側面と、前記第２底面と連結されて、前記第２底面を取り囲む第２側面と、を含み、前記傾斜面は、前記導光板の前記第２辺、前記第３辺、及び前記第４辺の外側に位置し、前記第１側面は、前記導光板の前記第１辺の外側に位置してもよい。
【００１１】
前記導光板は長方形に形成され、前記第１辺及び前記第２辺の長さは、前記第３辺及び前記第４辺より長くてもよい。
【００１２】
前記傾斜面の上に位置する第１反射シートをさらに含んでもよい。
【００１３】
前記第１反射シートは、鏡面反射シートで形成されてもよい。
【００１４】
前記第１反射シートは、パターンが印刷されている拡散反射シートで形成されてもよい。
【００１５】
前記パターンのサイズは、前記導光板から遠くなるほど大きくなってもよい。
【００１６】
前記導光板の前記第２辺、前記第３辺、及び前記第４辺の側面に付着されるプリズムをさらに含んでもよい。
【００１７】
前記導光板の前記第２辺、前記第３辺、及び前記第４辺の側面は、逆テーパ形状を有してもよい。
【００１８】
前記導光板の前記第２辺、前記第３辺、及び前記第４辺の下に位置する遮光部材をさらに含んでもよい。
【００１９】
前記遮光部材は、前記第１底面と前記傾斜面が連結される部分に付着されてもよい。
【００２０】
前記光源は、前記第１側面に付着されてもよい。
【００２１】
前記光源の光出射方向は、前記導光板の前記第１辺に向かってもよい。
【００２２】
前記導光板の前記第１辺、及び前記第１辺と対向する前記第２辺は、前記非表示領域と重なり、前記導光板の前記第３辺及び前記第４辺は、前記表示領域と重なってもよい。
【００２３】
前記液晶表示パネル、前記導光板、及び前記光源を収納する下部カバーを含み、前記下部カバーは、第１底面と、前記第１底面を取り囲んで、前記第１底面より浅い深さを有する第２底面と、前記第１底面と前記第２底面を連結する傾斜面及び第１側面と、前記第２底面と連結されて、前記第２底面を取り囲む第２側面と、を含み、前記傾斜面は、前記導光板の前記第２辺と重なり、前記第３辺及び前記第４辺の外側に位置し、前記第１側面は、前記導光板の前記第１辺の外側に位置してもよい。
【００２４】
前記導光板の前記第２辺の側面は傾斜を有してもよい。
【００２５】
前記導光板の前記第２辺の側面の傾斜は、前記下部カバーの前記傾斜面の傾斜と平行になってもよい。
【００２６】
前記導光板の前記第３辺及び前記第４辺に隣接する前記傾斜面の上に位置する第１反射シートと、前記導光板と前記下部カバーの間に位置する第２反射シートと、をさらに含んでもよい。
【００２７】
前記第１反射シートは、鏡面反射シートまたはパターンが印刷されている拡散反射シートで形成されてもよい。
【００２８】
前記第２反射シートは、拡散反射シートで形成されてもよい。
【００２９】
前記導光板の前記第３辺及び前記第４辺の側面に付着されるプリズムをさらに含んでもよい。
【００３０】
前記導光板の厚さは、前記第１辺から前記第２辺に向かって次第に薄くなってもよい。
【００３１】
前記導光板の前記第１辺と対向する前記第２辺は、前記表示領域と重なり、前記導光板の前記第１辺、前記第３辺、及び前記第４辺は、前記非表示領域と重なってもよい。
【００３２】
前記液晶表示パネル、前記導光板、及び前記光源を収納する下部カバーを含み、前記下部カバーは、第１底面と、前記第１底面を取り囲んで、前記第１底面より浅い深さを有する第２底面と、前記第１底面と前記第２底面を連結する傾斜面及び第１側面と、前記第２底面と連結されて、前記第２底面を取り囲む第２側面と、を含み、前記傾斜面は、前記導光板の前記第３辺及び前記第４辺と重なり、前記第２辺の外側に位置し、前記第１側面は、前記導光板の前記第１辺の外側に位置してもよい。
【００３３】
前記導光板の前記第３辺及び前記第４辺の側面は、傾斜を有してもよい。
【００３４】
前記導光板の前記第３辺及び前記第４辺の側面の傾斜は、前記下部カバーの前記傾斜面の傾斜と平行になってもよい。
【００３５】
前記導光板の前記第２辺に隣接する前記傾斜面の上に位置する第１反射シートと、前記導光板と前記下部カバーの間に位置する第２反射シートと、をさらに含んでもよい。
【００３６】
前記第１反射シートは、鏡面反射シートまたはパターンが印刷されている拡散反射シートで形成されてもよい。
【００３７】
前記第２反射シートは、拡散反射シートで形成されてもよい。
【００３８】
前記導光板の前記第２辺の側面に付着されるプリズムをさらに含んでもよい。
【００３９】
前記導光板の厚さは、中心から前記第３辺及び前記第４辺に向かって次第に薄くなってもよい。
【発明の効果】
【００４０】
上記のような本発明の一実施形態による液晶表示装置は、次のような効果がある。
【００４１】
本発明の一実施形態による液晶表示装置は、導光板のサイズまたは厚さを減らすことによって、液晶表示装置の厚さ及びベゼルのサイズを減少させることができる。
【図面の簡単な説明】
【００４２】
【図１】本発明の一実施形態による液晶表示装置の平面図である。
【図２】図１のＩＩ−ＩＩ線に沿った本発明の一実施形態による液晶表示装置の断面図である。
【図３】図１のＩＩＩ−ＩＩＩ線に沿った本発明の一実施形態による液晶表示装置の断面図である。
【図４】図１のＩＶ−ＩＶ線に沿った本発明の一実施形態による液晶表示装置の断面図である。
【図５】本発明の一実施形態による液晶表示装置の第１反射シートの平面図である。
【図６】本発明の一実施形態による液晶表示装置の導光板の断面図である。
【図７】本発明の一実施形態による液晶表示装置の導光板及びプリズムの断面図である。
【図８】本発明の一実施形態による液晶表示装置の導光板、プリズム、及び第１反射シートの断面図である。
【図９】本発明の一実施形態による液晶表示装置の断面図である。
【図１０】本発明の一実施形態による液晶表示装置の断面図である。
【図１１】本発明の一実施形態による液晶表示装置の平面図である。
【図１２】図１１のＸＩＩ−ＸＩＩ線に沿った本発明の一実施形態による液晶表示装置の断面図である。
【図１３】本発明の一実施形態による液晶表示装置の導光板の断面図である。
【図１４】本発明の一実施形態による液晶表示装置の平面図である。
【図１５】図１４のＸＶ−ＸＶ線に沿った本発明の一実施形態による液晶表示装置の断面図である。
【図１６】図１４のＸＶＩ−ＸＶＩ線に沿った本発明の一実施形態による液晶表示装置の断面図である。
【図１７】本発明の一実施形態による液晶表示装置の導光板の断面図である。
【図１８】本発明の一実施形態による液晶表示装置の平面図である。
【図１９】図１８のＸＩＸ−ＸＩＸ線に沿った本発明の一実施形態による液晶表示装置の断面図である。
【図２０】本発明の一実施形態による液晶表示装置の断面図である。
【図２１】本発明の一実施形態による液晶表示装置の導光板の断面図である。
【発明を実施するための形態】
【００４３】
添付した図面を参照しながら、本発明の実施形態について本発明が属する技術分野における通常の知識を有する者が容易に実施できるように詳細に説明する。しかし、本発明は、種々の異なる形態に実現でき、ここで説明する実施形態に限られない。
【００４４】
図面において、種々の層及び領域を明確に表現するために厚さを拡大して示した。明細書の全体にわたって類似する部分に対しては同一の図面符号を付した。層、膜、領域、板などが他の部分の「上」にあると表現される場合、それは他の部分の「すぐ上」にある場合だけでなく、その中間に他の部分がある場合も含む。一方、ある部分が他の部分の「すぐ上」にあると表現される場合には、中間に他の部分がないことを意味する。
【００４５】
まず、図１乃至図４を参照して、本発明の一実施形態による液晶表示装置について説明する。
【００４６】
図１は、本発明の一実施形態による液晶表示装置の平面図であり、図２は、図１のＩＩ−ＩＩ線に沿った本発明の一実施形態による液晶表示装置の断面図であり、図３は、図１のＩＩＩ−ＩＩＩ線に沿った本発明の一実施形態による液晶表示装置の断面図であり、図４は、図１のＩＶ−ＩＶ線に沿った本発明の一実施形態による液晶表示装置の断面図である。
【００４７】
図１乃至図４に示すように、本発明の一実施形態による液晶表示装置は、液晶表示パネル１００、液晶表示パネル１００の下に位置する導光板２３０、及び導光板２３０の一側周縁に位置する光源２１０を含む。
【００４８】
液晶表示パネル１００は、表示領域ＤＡ、及び表示領域ＤＡを取り囲む非表示領域ＮＡを含む。表示領域ＤＡは、画面を表示する領域であり、非表示領域ＮＡは、覆われる領域である。非表示領域ＮＡには、回路部、及びダミー画素などが位置してもよい。このような非表示領域ＮＡは、液晶表示装置の駆動のために必要な領域であるが、画面を表示しない部分であるため、本発明の一実施形態においてはこれを最小化しようとする。
【００４９】
液晶表示パネル１００は、互いに対向する第１基板１１０及び第２基板１２０を含む。第１基板１１０及び第２基板１２０は、ガラスまたはプラスチックなどで形成されてもよい。第１基板１１０の上には第１電界生成電極（図示せず）が形成され、第２基板１２０の上には第２電界生成電極（図示せず）が形成されてもよい。二つの電界生成電極にそれぞれ所定の電圧が印加されると、第１基板１１０と第２基板１２０の間に電界が形成される。二つの電界生成電極は同一の基板の上に形成されてもよい。
【００５０】
図示は省略しているが、第１基板１１０と第２基板１２０の間には液晶層が位置してもよい。液晶層は、複数の液晶分子からなり、ポジティブ型またはネガティブ型に形成されてもよい。
【００５１】
光源２１０から出射した光は、導光板２３０を通過して、液晶表示パネル１００に光を供給する。
【００５２】
第１基板１１０と第２基板１２０の間に形成された電界により液晶層の液晶分子の方向が決定され、液晶分子の方向により液晶層を通過する光量が変化する。例えば、液晶表示パネル１００に供給された光の全部または一部が液晶表示パネル１００を通過するようにしてもよく、液晶表示パネル１００に供給された光の全部が液晶表示パネル１００を通過しないようにしてもよい。このように、液晶表示パネル１００に供給された光が液晶表示パネル１００を通過する量を各画素別に調節することによって、映像を表示することができる。
【００５３】
導光板２３０は、液晶表示パネル１００の下に位置して、液晶表示パネル１００に光を供給する。光源２１０から供給された光は、導光板２３０の側面に入射し、導光板２３０の上部面から出射し、液晶表示パネル１００の下部面に入射する。
【００５４】
導光板２３０は、第１辺２３０−１、第２辺２３０−２、第３辺２３０−３、及び第４辺２３０−４を含む多角形の平面形状を有する。導光板２３０の平面形状は、二つの長辺と二つの短辺を含む長方形になってもよい。第１辺２３０−１及び第２辺２３０−２は、互いに対向する辺であって、長辺に相当し、第３辺２３０−３及び第４辺２３０−４は、互いに対向する辺であって、短辺に相当する。なお、導光板２３０の形状は長方形状に限定されない。たとえば、導光板の２３０の形状は正方形状であってもよい。よって、互いに対向する第１辺２３０−１及び第２辺２３０−２、互いに対向する第３辺２３０−３及び第４辺２３０−４は概ね同じ長さであってもよい。また、導光板２３０の形状は四角形状に限定されず、たとえば、液晶表示パネル１００の形状に合わせた形状であってもよい。たとえば、導光板２３０は、第１辺２３０−１、第２辺２３０−２、第３辺２３０−３、及び第４辺２３０−４の少なくとも一部が曲線部を有していてもよい。
【００５５】
導光板２３０の第１辺２３０−１に隣接して光源２１０が配置されており、第２辺２３０−２、第３辺２３０−３、及び第４辺２３０−４には光源２１０が配置されていない。
【００５６】
光源２１０は、発光ダイオード（ＬＥＤ：Ｌｉｇｈｔ  Ｅｍｉｔｔｉｎｇ  ｄｉｏｄｅ）、冷陰極蛍光ランプ（ＣＣＦＬ：ｃｏｌｄ  ｃａｔｈｏｄｅ  ｆｌｕｏｒｅｓｃｅｎｔ  ｌａｍｐ）、及び外部電極蛍光ランプ（ＥＥＦＬ：ｅｘｔｅｒｎａｌ  ｅｌｅｃｔｒｏｄｅ  ｆｌｕｏｒｅｓｃｅｎｔ）などで形成されてもよい。これらのうちの発光ダイオードは、寿命が長く、サイズが小さく、電力消費が大きくないなど、他の光源に比べて長所が多いので、最近、多く使用されている。
【００５７】
図示されているように、光源２１０が導光板２３０の第１辺２３０−１に隣接するように配置されてもよい。このとき、複数の光源２１０が、導光板２３０の第１辺２３０−１の一側周縁から他側周縁まで一定の間隔を有して配置されてもよい。
【００５８】
導光板２３０の第１辺２３０−１は、液晶表示パネル１００の非表示領域ＮＡと重なり、導光板２３０の第２辺２３０−２、第３辺２３０−３、及び第４辺２３０−４は、液晶表示パネル１００の表示領域ＤＡと重なる。即ち、光源２１０が配置されている第１辺２３０−１を除いたそれ以外の辺は、全て液晶表示パネル１００の表示領域ＤＡと重なる。言い換えれば、導光板２３０の第１辺２３０−１は、表示領域ＤＡ内には位置せず、非表示領域ＮＡ内に位置する。一方、導光板２３０の第２辺２３０−２、第３辺２３０−３、及び第４辺２３０−４は、非表示領域ＮＡ内に位置せず、表示領域ＤＡ内に位置する。第２辺２３０−２、第３辺２３０−３、及び第４辺２３０−４は、例えば液晶表示パネル１００の外周の辺から所定距離離れることで、表示領域ＤＡ内に位置する。液晶表示パネル１００の外周の辺から液晶表示パネル１００の外周の辺までの距離は、それぞれ異なってもよいし、概ね同程度であってもよい。
【００５９】
したがって、導光板２３０のサイズは、液晶表示パネル１００のサイズより小さく形成される。即ち、液晶表示装置の周縁には導光板２３０が形成されないことによって、導光板２３０の厚さほど液晶表示装置の厚さが減少する。さらに言い換えれば、第２辺２３０−２、第３辺２３０−３、及び第４辺２３０−４が表示領域ＤＡ内に位置し、非表示領域ＮＡ内に位置しないため、これらの辺に対応する液晶表示パネル１００の周縁には導光板２３０が位置しない。したがって、液晶表示装置の三辺の厚さが導光板２３０の厚さに相当する分に応じて薄くなることができる。
【００６０】
液晶表示装置は、液晶表示パネル１００、導光板２３０、及び光源２１０を収納する下部カバー３２０、及び液晶表示パネル１００の上部周縁と側面を覆う上部カバー３１０をさらに含む。
【００６１】
下部カバー３２０及び上部カバー３１０は、液晶表示パネル１００、導光板２３０、及び光源２１０を固定することができ、これらを外部衝撃から保護できる。
【００６２】
下部カバー３２０は、第１底面３２２、第２底面３２４、これらを連結する傾斜面３２６と第１側面３２８、及び第２底面３２４を取り囲む第２側面３３０を含む。
【００６３】
第１底面３２２は、導光板２３０の下に位置し、導光板２３０とほぼ類似している平面形状を有する。例えば、第１底面３２２は、直方体形状の導光板２３０の底面に沿った平面形状を有する。
【００６４】
第２底面３２４は、第１底面３２２を取り囲んでおり、第１底面３２２より浅い深さを有する。つまり、例えば、第１基板１１０と第２底面３２４との距離は、第１基板１１０と第１底面３２２との距離よりも短い。
【００６５】
導光板２３０は、概ね第１底面３２２上に対応して収納される。液晶表示パネル１００は、導光板２３０より大きく、導光板２３０の上に位置して、第２底面３２４に液晶表示パネル１００の端部が位置するように収納される。
【００６６】
傾斜面３２６は、第１底面３２２と第２底面３２４を連結し、導光板２３０の第２辺２３０−２、第３辺２３０−３、及び第４辺２３０−４の外側に位置する。即ち、傾斜面３２６は、導光板２３０の第２辺２３０−２、第３辺２３０−３、及び第４辺２３０−４の側面を取り囲んでいる。傾斜面３２６は、第１底面３２２から第２底面３２４に向かうにつれて、徐々に第１基板１１０との距離が短くなる。図２、図３では、傾斜面３２６は断面視において直線状であるが、第１底面３２２から第２底面３２４に向かうにつれて、徐々に第１基板１１０と距離が短くなればよく、例えば曲線状、階段状であってもよい。また、例えば、傾斜面３２６は、第１底面３２２に隣接する側において急激に第１基板１１０側に近接し、その後は第２底面３２４に向かってなだらかに第１基板１１０側に近接するような形状であってもよい。
【００６７】
第１側面３２８は、第１底面３２２と第２底面３２４を連結し、導光板２３０の第１辺２３０−１の外側に位置する。即ち、第１側面３２８は、導光板２３０の第１辺２３０−１の側面を取り囲んでいる。また、第１側面３２８は、導光板２３０の鉛直方向の形状に沿って、例えば概ね鉛直方向に伸びた側壁により形成されている。光源２１０は、下部カバー３２０の第１側面３２８に固定されており、導光板２３０の第１辺２３０−１の側面と対向している。したがって、光源２１０から出射した光は、導光板２３０の第１辺２３０−１の側面に入射するようになる。即ち、光源２１０の光出射方向は、導光板２３０の第１辺２３０−１に向かう。
【００６８】
第２側面３３０は、第２底面３２４と連結されており、液晶表示パネル１００の外側に位置する。即ち、第２側面３３０は、液晶表示パネル１００の側面を取り囲んでいる。また、第２側面３３０は、液晶表示パネル１００の側面の鉛直方向の形状に沿って、例えば概ね鉛直方向に伸びた側壁により形成されている。また、第１側面３１０と第２側面３３０とを連結する第２底面３２４は、例えば、図４に示すように水平方向、つまり、液晶表示パネル１００の底面に沿うように形成されている。
【００６９】
上部カバー３１０は、液晶表示パネル１００の周縁を覆っており、特に、液晶表示パネル１００の非表示領域ＮＡを覆っている。上部カバー３１０は、下部カバー３２０の側面を覆っており、特に、下部カバー３２０の第２側面３３０を覆っている。
【００７０】
本発明の一実施形態による液晶表示装置においては、導光板２３０の第２辺２３０−２、第３辺２３０−３、及び第４辺２３０−４と隣接する部分の下部カバー３２０が、傾斜面３２６を有することによって、図２、図３に示すように導光板２３０が配置されていない下部において、第１底面３２２から第２底面３２４に向かって第１基板１１０からの距離を短くすることができるので、液晶表示装置の厚さを減少させることができる。したがって、周縁の厚さが薄いスリム型液晶表示装置を実現することができる。また、図４に示すように、第１底面３２２と第２底面３２４とを第１側面３２８によって連結することによっても、第２底面３２４は第１底面３２２よりも第１基板からの距離が短いため、その部分においても液晶表示装置の厚さを減少させることができる。
【００７１】
本発明の一実施形態による液晶表示装置は、下部カバー３２０の傾斜面３２６に位置する第１反射シート２４０をさらに含んでもよい。
【００７２】
第１反射シート２４０は、導光板２３０の第２辺２３０−２、第３辺２３０−３、及び第４辺２３０−４の側面から出射した光を反射して、液晶表示パネル１００に送る。したがって、導光板２３０と重ならない部分の液晶表示パネル１００にも光が円滑に伝達される。
【００７３】
第１反射シート２４０は、鏡面反射シートで形成されてもよい。例えば、第１反射シート２４０は、強化鏡面反射体（ＥＳＲ、ｅｎｈａｎｃｅｄ  ｓｐｅｃｕｌａｒ  ｒｅｆｌｅｃｔｏｒ）などのように反射率の高い反射シートで形成されてもよい。第１反射シート２４０は高い反射率を有しているので、導光板２３０の側面から出射した光の大部分が液晶表示パネル１００に入射するようにできる。したがって、液晶表示パネル１００の表示領域ＤＡの周縁に光が到達する。
【００７４】
第１反射シート２４０は、拡散反射シートで形成されてもよい。このとき、第１反射シート２４０には所定のパターン２４２が印刷されている。以下、図５を参照して、第１反射シート２４０に印刷されているパターン２４２について説明する。
【００７５】
図５は、本発明の一実施形態による液晶表示装置の第１反射シートの平面図である。
【００７６】
第１反射シート２４０に印刷されているパターン２４２のサイズは、導光板２３０から遠くなるほど大きくなる。また、パターン２４２は、マトリックス状に配置されてもよく、同一の列に配置されているパターン２４２のサイズは同一であってもよい。導光板２３０から最も近い列に位置するパターン２４２のサイズが最も小さく、導光板２３０から最も遠い列に位置するパターン２４２のサイズが最も大きい。一つの列に配置されているパターン２４２の個数は一定であってもよい。したがって、導光板２３０から遠くなるほど、パターン２４２の密度が高まる。
【００７７】
パターン２４２の密度が高いほど、反射率は増加する。導光板２３０から近い位置に到達する光量よりも、導光板２３０から遠い位置に到達する光量が、相対的に少ないので、導光板２３０から遠くなるほど、パターン２４２の密度を高めることによって、反射率を増加させることができる。したがって、液晶表示パネル１００の表示領域ＤＡの周縁まで光が円滑に到達するようにできる。
【００７８】
また、上記ではパターン２４２のサイズは平面形状の大きさを示しているが、立体的形状の大きさであってもよい。例えば、光源２１０の近い方から遠い方に向かってパターン２４２の立体的形状の大きさが大きくなってもよい。あるいは、サイズには、平面形状及び立体的形状の両方を含んでもよい。
【００７９】
本実施形態においては、パターン２４２の密度を調節するために、パターン２４２のサイズを調節したが、本発明はこれに限られない。パターン２４２のサイズは一定であり、導光板２３０から遠くなるほど、パターン２４２の個数が多くなるようにしてもよい。また、パターン２４２の密度を調節するために、パターン２４２のサイズと個数を同時に調節することも可能である。
【００８０】
さらに、図１乃至図４を参照すれば、本発明の一実施形態による液晶表示装置は、導光板２３０の側面に位置するプリズム２６０をさらに含んでもよい。例えば、プリズム２６０が光源２１０が配置されていない導光板２３０の辺に配置されている。
【００８１】
プリズム２６０は、導光板２３０の第２辺２３０−２、第３辺２３０−３、及び第４辺２３０−４の側面に付着されている。プリズム２６０は、三角形の突起が複数個配置されている形状に形成され、テープなどのような接着部材により導光板２３０に付着されている。プリズム２６０は、シリコンなどのような材質で形成されてもよい。
【００８２】
プリズム２６０は、導光板２３０の第２辺２３０−２、第３辺２３０−３、及び第４辺２３０−４の側面から出射した光を集光することによって、光の損失を最小化することができる。プリズム２６０を通過した光は、第１反射シート２４０に反射して液晶表示パネル１００に供給される。なお、プリズム２６０は、例えば導光板２３０の第２辺２３０−２、第３辺２３０−３、及び第４辺２３０−４の少なくともいずれかに配置されてもよい。ただし、これらの全ての辺にプリズム２６０が配置される方が、集光効率を高めることができる。
【００８３】
以下、図６乃至図８を参照して、導光板の側面から出射した光の経路について説明する。
【００８４】
図６は、本発明の一実施形態による液晶表示装置の導光板の断面図であり、図７は、本発明の一実施形態による液晶表示装置の導光板及びプリズムの断面図であり、図８は、本発明の一実施形態による液晶表示装置の導光板、プリズム、及び第１反射シートの断面図である。
【００８５】
図６を参照すれば、液晶表示装置の導光板２３０の側面から出射した光は、導光板２３０の側面で屈折が生じるようになり、様々な方向に拡散していくのが一般的である。
【００８６】
図７を参照すれば、本発明の一実施形態による液晶表示装置の導光板２３０の側面には、プリズム２６０が付着されており、プリズム２６０により導光板２３０の側面から出射した光が集光する。
【００８７】
図８を参照すれば、本発明の一実施形態による液晶表示装置のプリズム２６０を通過した光は、第１反射シート２４０に到達するようになる。第１反射シート２４０に到達した光は大部分反射して、液晶表示パネル１００に供給される。
【００８８】
本実施形態においては、導光板２３０の側面から出射した光が、プリズム２６０により分散せず、一側に集中されることによって、損失される光量を減らせる。したがって、導光板２３０の側面から出射した光の大部分は、第１反射シート２４０に到達する。また、プリズム２６０を通過した光は、第１反射シート２４０により大部分反射して、液晶表示パネル１００に供給されることによって、損失される光量を減らせる。したがって、液晶表示パネル１００が導光板２３０と重ならない領域にも光が十分に供給されて、画像を表示することができる。
【００８９】
上述した通り、液晶表示装置の周縁には導光板２３０が形成されないことによって、液晶表示装置の周縁の厚さを薄くすることができる。また、プリズム２６０及び第１反射シート２４０により導光板２３０が形成されない領域にも光を供給することによって、非表示領域ＮＡを最小化することが可能であり、ベゼル（ｂｅｚｅｌ）の幅を減少させることができる。
【００９０】
さらに、図１乃至図４を参照すれば、本発明の一実施形態による液晶表示装置は、導光板２３０と液晶表示パネル１００の間に位置する光学シート２２０をさらに含んでもよい。
【００９１】
光学シート２２０は、光源２１０から出射した光の集光効率を高め、光が全体的に均一な分布を有するようにする。このような光学シート２２０は、複数の多様なシートで形成されてもよく、例えば、順に積層された拡散シート、プリズムシート、及び保護シートに形成されてもよい。
【００９２】
拡散シートは、光源２１０から出射した光を拡散させる。プリズムシートは、拡散シートで拡散される光を液晶表示パネル１００の平面に垂直方向に集光する。プリズムシートを通過した光の大部分は、液晶表示パネル１００に垂直して入射する。また、保護シートは、プリズムシート上に配置されてもよく、外部の衝撃からプリズムシートを保護する。
【００９３】
拡散シート、プリズムシート、及び保護シートはそれぞれ１枚ずつ備わってもよく、複数枚を重ねって使用してもよい。また、場合により拡散シート、プリズムシート、及び保護シートのいずれか一つのシートを省略することも可能である。
【００９４】
本実施形態において、導光板２３０の第２辺２３０−２、第３辺２３０−３、及び第４辺２３０−４は、液晶表示パネル１００の表示領域ＤＡと重なっており、導光板２３０の第２辺２３０−２、第３辺２３０−３、及び第４辺２３０−４で光特性の変化が現れる可能性があり、これは縞模様に視認されうる。特に、導光板２３０の第２辺２３０−２、第３辺２３０−３、及び第４辺２３０−４に沿って明るい縞模様に現れることもある。以下、図９及び図１０を参照して、このような縞模様が視認されるのを防止するための構造について説明する。
【００９５】
図９及び図１０は、本発明の一実施形態による液晶表示装置の断面図である。図９及び図１０は、本発明の一実施形態による液晶表示装置の導光板の第２辺乃至第４辺のいずれか一辺を示している。
【００９６】
図９に示すように、導光板２３０の第２辺２３０−２、第３辺２３０−３、及び第４辺２３０−４の側面は、逆テーパ形状を有してもよい。導光板２３０の側面が傾斜を有するようにすることによって、導光板２３０の周縁の輝度を低くして、縞模様が視認されるのを防止することができる。
【００９７】
図１０に示すように、導光板２３０の第２辺２３０−２、第３辺２３０−３、及び第４辺２３０−４の下に遮光部材２７０がさらに位置してもよい。遮光部材２７０は、下部カバー３２０の第１底面３２２と傾斜面３２６が連結される部分に付着されてもよい。遮光部材２７０は、光を吸収する部材であり、導光板２３０の周縁の輝度を低くして、縞模様が視認されるのを防止することができる。
【００９８】
次に、図１１乃至図１３を参照して、本発明の一実施形態による液晶表示装置について説明する。
【００９９】
図１１乃至図１３に示す本発明の一実施形態による液晶表示装置は、図１乃至図４に示す本発明の一実施形態による液晶表示装置と同一の部分が相当あるので、これに対する説明は省略する。本実施形態は、導光板の第２辺が液晶表示パネルの非表示領域と重なるという点で上述した実施形態と一部異なっており、以下、さらに詳細に説明する。
【０１００】
図１１は、本発明の一実施形態による液晶表示装置の平面図であり、図１２は、図１１のＸＩＩ−ＸＩＩ線に沿った本発明の一実施形態による液晶表示装置の断面図であり、図１３は、本発明の一実施形態による液晶表示装置の導光板の断面図である。図１３は、導光板の短辺に沿って切断した断面図である。
【０１０１】
上述した実施形態と同様に、本発明の一実施形態による液晶表示装置は、液晶表示パネル１００、液晶表示パネル１００の下に位置する導光板２３０、及び導光板２３０の一側周縁に位置する光源２１０を含む。
【０１０２】
導光板２３０は、第１辺２３０−１、第２辺２３０−２、第３辺２３０−３、及び第４辺２３０−４を含む多角形の平面形状を有し、第１辺２３０−１及び第２辺２３０−２の長さが、第３辺２３０−３及び第４辺２３０−４の長さより長い。なお、導光板２３０の形状は、上述したように多様であってもよい。
【０１０３】
導光板２３０の第１辺２３０−１に隣接して光源２１０が配置されている。導光板２３０の第１辺２３０−１、及び第１辺２３０−１と対向する第２辺２３０−２は、液晶表示パネル１００の非表示領域ＮＡと重なり、第３辺２３０−３及び第４辺２３０−４は、液晶表示パネル１００の非表示領域ＮＡとは重ならず、表示領域ＤＡと重なる。
【０１０４】
上述した実施形態では、導光板２３０の第２辺２３０−２が液晶表示パネル１００の表示領域ＤＡと重なっているが、本実施形態では、導光板２３０の第２辺２３０−２が液晶表示パネル１００の非表示領域ＮＡと重なる。即ち、本実施形態では、導光板２３０の第２辺２３０−２が、上述した実施形態に比べて拡張形成されている。
【０１０５】
下部カバー３２０は、第１底面３２２、第２底面３２４、これらを連結する傾斜面３２６と第１側面３２８、及び第２底面３２４を取り囲む第２側面３３０を含む。
【０１０６】
下部カバー３２０の傾斜面３２６は、導光板２３０の第３辺２３０−３及び第４辺２３０−４の外側に位置し、導光板２３０の第２辺２３０−２と重なる。ここで、例えば、導光板２３０の第３辺２３０−３及び第４辺２３０−４の外側に位置する下部カバー３２０の傾斜面３２６は、前述の図３と同様の形態を有する。
【０１０７】
また、導光板２３０の第２辺２３０−２の側面は傾斜を有する。このとき、導光板２３０の第２辺２３０−２の側面の傾斜は、下部カバー３２０の傾斜面３２６の傾斜と平行である。下部カバー３２０の傾斜面３２６と重なる部分で導光板２３０は周縁に向かって次第に厚さが減少する。図１３を参照すれば、導光板２３０は、大部分の領域において一定の厚さに形成されており、導光板２３０の第２辺２３０−２に隣接した部分で厚さが減少する。
【０１０８】
本発明の一実施形態による液晶表示装置においては、導光板２３０の第３辺２３０−３及び第４辺２３０−４に隣接する部分と、第２辺２３０−２と重なる部分の下部カバー３２０が、傾斜面３２６を有することによって、液晶表示装置の厚さを減少させることができる。したがって、周縁の厚さが薄い液晶表示装置を実現することができる。
【０１０９】
本発明の一実施形態による液晶表示装置は、導光板２３０の第３辺２３０−３及び第４辺２３０−４に隣接する下部カバー３２０の傾斜面３２６の上に位置する第１反射シート２４０をさらに含む（図２、図３参照）。また、本発明の一実施形態による液晶表示装置は、図１２に示すように、導光板２３０と下部カバー３２０の間に位置する第２反射シート２４４をさらに含む。特に、第２反射シート２４４は、導光板２３０の第２辺２３０−２の下に位置する下部カバー３２０の傾斜面３２６の上に位置し、下部カバー３２０の第１底面３２２の上に位置する。
【０１１０】
第１反射シート２４０は、鏡面反射シートまたはパターンが印刷されている拡散反射シートで形成されてもよい。第２反射シート２４４は、拡散反射シートで形成されてもよい。
【０１１１】
導光板２３０の第３辺２３０−３及び第４辺２３０−４の形状とその周辺の構成要素は、上述した実施形態と類似に形成される。また、導光板２３０の第３辺２３０−３及び第４辺２３０−４の側面にはプリズムが付着されてもよい。
【０１１２】
次に、図１４乃至図１７を参照して、本発明の一実施形態による液晶表示装置について説明する。
【０１１３】
図１４乃至図１７に示す本発明の一実施形態による液晶表示装置は、図１１乃至図１３に示す本発明の一実施形態による液晶表示装置と同一の部分が相当あるので、これに対する説明は省略する。本実施形態は、導光板の厚さが第１辺から第２辺に向かって次第に薄くなるという点で上述した実施形態と一部異なっており、以下、さらに詳細に説明する。
【０１１４】
図１４は、本発明の一実施形態による液晶表示装置の平面図であり、図１５は、図１４のＸＶ−ＸＶ線に沿った本発明の一実施形態による液晶表示装置の断面図であり、図１６は、図１４のＸＶＩ−ＸＶＩ線に沿った本発明の一実施形態による液晶表示装置の断面図であり、図１７は、本発明の一実施形態による液晶表示装置の導光板の断面図である。図１７は、導光板の短辺に沿って切断した断面図である。
【０１１５】
上述した実施形態と同様に、本発明の一実施形態による液晶表示装置は、液晶表示パネル１００、液晶表示パネル１００の下に位置する導光板２３０、及び導光板２３０の一側周縁に位置する光源２１０を含む。
【０１１６】
導光板２３０は、第１辺２３０−１、第２辺２３０−２、第３辺２３０−３、及び第４辺２３０−４を含む多角形の平面形状を有し、第１辺２３０−１及び第２辺２３０−２の長さが、第３辺２３０−３及び第４辺２３０−４の長さより長い。なお、導光板２３０の形状は、上述したように多様であってもよい。
【０１１７】
導光板２３０の第１辺２３０−１に隣接して光源２１０が配置されている。導光板２３０の第１辺２３０−１、及び第１辺２３０−１と対向する第２辺２３０−２は、液晶表示パネル１００の非表示領域ＮＡと重なり、第３辺２３０−３及び第４辺２３０−４は、液晶表示パネル１００の表示領域ＤＡと重なる。
【０１１８】
導光板２３０の第２辺２３０−２の厚さｔ２と、導光板２３０の第１辺２３０−１の厚さｔ１とは、互いに異なる。導光板２３０の第２辺２３０−２の厚さｔ２は、導光板２３０の第１辺２３０−１の厚さｔ１より薄い。このとき、導光板２３０の厚さは、図１７に示すように、第１辺２３０−１から第２辺２３０−２に向かって次第に薄くなる。上述した実施形態では、導光板２３０が大部分の領域において一定の厚さに形成され、第２辺２３０−２に隣接した部分のみで厚さが減少する形態になっているが、本実施形態では、導光板２３０の厚さが第１辺２３０−１から第２辺２３０−２に至るまで次第に変化する。
【０１１９】
下部カバー３２０は、底面３４４、及び底面３４４と連結されて、底面３４４を取り囲む側面３４６を含む。
【０１２０】
底面３４４は導光板２３０の下に位置し、導光板２３０及び液晶表示パネル１００は底面３４４に収納される。導光板２３０の厚さの変化により底面３４４は傾斜を有する。
【０１２１】
側面３４６は、導光板２３０と液晶表示パネル１００の側面を取り囲んでいる。導光板２３０の厚さの変化により、側面３４６も相異なる高さに形成される。導光板２３０の第２辺２３０−２に隣接した下部カバー３２０の側面３４６の高さは、導光板２３０の第１辺２３０−１に隣接した下部カバー３２０の側面３４６の高さより低い。光源２１０は、導光板２３０の第１辺２３０−１に隣接した下部カバー３２０の側面３４６に付着されている。
【０１２２】
下部カバー３２０が導光板２３０の厚さの変化により傾斜を有し、これによって液晶表示装置の厚さも変化する。即ち、光源２１０が配置されている液晶表示装置の一側辺から、一側辺と対向する他側辺に向かうほど、液晶表示装置の厚さが減少する。したがって、周縁の厚さが薄い液晶表示装置を実現することができる。
【０１２３】
導光板２３０の第３辺２３０−３及び第４辺２３０−４の形状とその周辺の構成要素は、上述した実施形態と類似に形成されてもよい。
【０１２４】
次に、図１８及び図１９を参照して、本発明の一実施形態による液晶表示装置について説明する。
【０１２５】
図１８及び図１９に示す本発明の一実施形態による液晶表示装置は、図１乃至図４に示す本発明の一実施形態による液晶表示装置と同一の部分が相当あるので、これに対する説明は省略する。本実施形態は、導光板の第３辺及び第４辺が液晶表示パネルの非表示領域と重なるという点で上述した実施形態と一部異なっており、以下、さらに詳細に説明する。
【０１２６】
図１８は、本発明の一実施形態による液晶表示装置の平面図であり、図１９は、図１８のＸＩＸ−ＸＩＸ線に沿った本発明の一実施形態による液晶表示装置の断面図である。
【０１２７】
上述した実施形態と同様に、本発明の一実施形態による液晶表示装置は、液晶表示パネル１００、液晶表示パネル１００の下に位置する導光板２３０、及び導光板２３０の一側周縁に位置する光源２１０を含む。
【０１２８】
導光板２３０は、第１辺２３０−１、第２辺２３０−２、第３辺２３０−３、及び第４辺２３０−４を含む多角形の平面形状を有し、第１辺２３０−１及び第２辺２３０−２の長さが、第３辺２３０−３及び第４辺２３０−４の長さより長い。なお、導光板２３０の形状は、上述したように多様であってもよい。
【０１２９】
導光板２３０の第１辺２３０−１に隣接して光源２１０が配置されている。導光板２３０の第１辺２３０−１と対向する第２辺２３０−２は、液晶表示パネル１００の表示領域ＤＡと重なり、導光板２３０の第１辺２３０−１、第３辺２３０−３、及び第４辺２３０−４は、液晶表示パネル１００の非表示領域ＮＡと重なる。
【０１３０】
上述した実施形態では、導光板２３０の第３辺２３０−３及び第４辺２３０−４が液晶表示パネル１００の表示領域ＤＡと重なっているが、本実施形態では、導光板２３０の第３辺２３０−３及び第４辺２３０−４が液晶表示パネル１００の非表示領域ＮＡと重なる。即ち、本実施形態では、導光板２３０の第３辺２３０−３及び第４辺２３０−４が、上述した実施形態に比べて拡張形成されている。
【０１３１】
下部カバー３２０は、第１底面３２２、第２底面３２４、これらを連結する傾斜面３２６、及び第２底面３２４を取り囲む第２側面３３０を含む。
【０１３２】
下部カバー３２０の傾斜面３２６は、導光板２３０の第２辺２３０−２の外側に位置し、導光板２３０の第３辺２３０−３及び第４辺２３０−４と重なる。ここで、例えば、導光板２３０の第２辺２３０−２の外側に位置する下部カバー３２０の傾斜面３２６は、前述の図２と同様の形態を有する。
【０１３３】
ここで、図１９に示すように、導光板２３０の第３辺２３０−３及び第４辺２３０−４の側面は傾斜を有する。このとき、導光板２３０の第３辺２３０−３及び第４辺２３０−４の側面の傾斜は、下部カバー３２０の傾斜面３２６の傾斜と平行である。下部カバー３２０の傾斜面３２６と重なる部分で導光板２３０は周縁に向かって次第に厚さが減少する。導光板２３０は、大部分の領域において一定の厚さに形成され、導光板２３０の第３辺２３０−３及び第４辺２３０−４に隣接した部分で厚さが減少する。
【０１３４】
本発明の一実施形態による液晶表示装置においては、導光板２３０の第２辺２３０−２と隣接する部分と、第３辺２３０−３及び第４辺２３０−４と重なる部分の下部カバー３２０が、傾斜面３２６を有することによって、液晶表示装置の厚さを減少させることができる。したがって、周縁の厚さが薄い液晶表示装置を実現することができる。
【０１３５】
本発明の一実施形態による液晶表示装置は、導光板２３０の第２辺２３０−２に隣接する下部カバー３２０の傾斜面３２６の上に位置する第１反射シート２４０をさらに含む（図１２）。また、本発明の一実施形態による液晶表示装置は、導光板２３０と下部カバー３２０の間に位置する第２反射シート２４４をさらに含む（図１９）。特に、第２反射シート２４４は、導光板２３０の第３辺２３０−３及び第４辺２３０−４の下に位置する下部カバー３２０の傾斜面３２６の上に位置し、下部カバー３２０の第１底面３２２の上に位置する。
【０１３６】
第１反射シート２４０は、鏡面反射シートまたはパターンが印刷されている拡散反射シートで形成されてもよい。第２反射シート２４４は、拡散反射シートで形成されてもよい。
【０１３７】
導光板２３０の第２辺２３０−２の形状及びその周辺の構成要素は、上述した実施形態と類似に形成される。また、導光板２３０の第２辺２３０−２の側面にはプリズムが付着されてもよい。
【０１３８】
次に、図２０及び図２１を参照して、本発明の一実施形態による液晶表示装置について説明する。
【０１３９】
図２０及び図２１に示す本発明の一実施形態による液晶表示装置は、図１８及び図１９に示す本発明の一実施形態による液晶表示装置と同一の部分が相当あるので、これに対する説明は省略する。本実施形態は、導光板の厚さが中心から両側に向かって次第に薄くなるという点で上述した実施形態と一部異なっており、以下、さらに詳細に説明する。
【０１４０】
図２０は、本発明の一実施形態による液晶表示装置の断面図であり、図２１は、本発明の一実施形態による液晶表示装置の導光板の断面図である。図２１は、導光板の長辺に沿って切断した断面図である。
【０１４１】
上述した実施形態と同様に、本発明の一実施形態による液晶表示装置は、液晶表示パネル１００、液晶表示パネル１００の下に位置する導光板２３０、及び導光板２３０の一側周縁に位置する光源２１０を含む。
【０１４２】
導光板２３０は、第１辺２３０−１、第２辺２３０−２、第３辺２３０−３、及び第４辺２３０−４を含む多角形の平面形状を有し、第１辺２３０−１及び第２辺２３０−２の長さが、第３辺２３０−３及び第４辺２３０−４の長さより長い。なお、導光板２３０の形状は、上述したように多様であってもよい。
【０１４３】
導光板２３０の第１辺２３０−１に隣接して光源２１０が配置されている。導光板２３０の第１辺２３０−１と対向する第２辺２３０−２は、液晶表示パネル１００の表示領域ＤＡと重なり、導光板２３０の第１辺２３０−１、第３辺２３０−３、及び第４辺２３０−４は、液晶表示パネル１００の非表示領域ＮＡと重なる。
【０１４４】
導光板２３０の水平方向の中心の厚さｔｃと、導光板２３０の端部である第３辺２３０−３の厚さｔｂとは、互いに異なっており、導光板２３０の中心の厚さｔｃと、導光板２３０の端部である第４辺２３０−４の厚さｔｂとは、互いに異なっている。導光板２３０の第３辺２３０−３及び第４辺２３０−４の厚さｔｂは、導光板２３０の中心の厚さｔｃより薄い。このとき、導光板２３０の厚さは、図２１に示すように、中心から第３辺２３０−３に向かって次第に薄くなる。また、導光板２３０の厚さは、中心から第４辺２３０−４に向かって次第に薄くなる。
【０１４５】
下部カバー３２０は、底面３４４、及び底面３４４と連結されて、底面３４４を取り囲む側面３４６を含む。
【０１４６】
底面３４４は導光板２３０の下に位置し、導光板２３０及び液晶表示パネル１００は底面３４４に収納される。導光板２３０の厚さの変化により底面３４４は傾斜を有する。
【０１４７】
側面３４６は、導光板２３０と液晶表示パネル１００の側面を取り囲んでいる。光源２１０は、導光板２３０の第１辺２３０−１に隣接した下部カバー３２０の側面３４６に付着されている。
【０１４８】
下部カバー３２０が導光板２３０の厚さの変化により傾斜を有し、これによって液晶表示装置の厚さも変化する。即ち、液晶表示装置の中央から両側周縁に向かうほど、液晶表示装置の厚さが減少する。したがって、周縁の厚さが薄い液晶表示装置を実現することができる。
【０１４９】
導光板２３０の第２辺２３０−２の形状及びその周辺の構成要素は、上述した実施形態と類似に形成される。
【０１５０】
上記実施形態では、導光板２３０の第１辺２３０−１に隣接して光源２１０が配置されている。しかし、本発明は、これに限定されない。光源２１０は、第２辺２３０−２、第３辺２３０−３、及び第４辺２３０−４のいずれかの辺に配置されてもよい。
【０１５１】
そして、光源２１０が配置される導光板の辺に対応する下部カバー３２０は、上述の図４のように形成されている。つまり、光源２１０が配置される導光板の辺に対応する下部カバー３２０は、水平方向にそって第１底面３２２が、光源２１０近傍の鉛直方向の第２側面３２０まで延びている。また、表示パネル１００の側面を取り囲む鉛直方向に沿った第２側面３３０と、第２側面３２０とが第２底面３２４によって連結されている。このとき、第１基板１１０と第２底面３２４との距離は、第１基板１１０と第１底面３２２との距離よりも短い。
【０１５２】
一方、光源２１０が配置されない導光板３２０の辺に対応する下部カバー３２０は、導光板３２０の辺が表示領域ＤＡに配置される箇所において、上述の図２、図３のように形成されている。つまり、光源２１０が配置されない導光板の辺に対応する下部カバー３２０は、導光板３２０に対応するように形成されている第１底面３２２と、液晶表示パネル１００の周辺の下部に位置する第２底面３２４と、この第１底面３２２と第２底面３２４とを傾斜を有して連結する傾斜面３２６と、を有する。よって、例えば、第１基板１１０と第２底面３２４との距離は、第１基板１１０と第１底面３２２との距離よりも短い。
【０１５３】
その他、光源２１０が配置されない導光板２３０の辺に対応する下部カバー３２０は、導光板３２０の辺が非表示領域ＮＡに配置される箇所において、図１２に示すように形成されていてもよく、この場合、導光板３２０は図１３のように形成されてもよい。その他、図１４〜図１７に示すように、導光板３２０の厚みが光源２１０側から対向する辺側に向かって徐々に薄くなってもよい。その他、導光板３２０の辺が非表示領域ＮＡに配置される箇所において、互いに対向する辺の間において、導光板３２０は図２１に示すように形成されていてもよい。
【０１５４】
なお、光源２１０は、第１辺２３０−１、第２辺２３０−２、第３辺２３０−３、及び第４辺２３０−４の２つ以上の辺に配置されてもよい。光源２１０が配置されている導光板の辺に対応する下部カバー３２０の形状、光源２１０が配置されない導光板の辺に対応する下部カバー３２０の形状は上述の通りである。また、光源２１０が配置されない導光板の辺に対応する部分における、プリズム、第１反射シート２４０、導光板２３０の逆テーパ形状、遮光部材２７０の設置等については、上述の通りである。
【０１５５】
以上、本発明の好ましい実施形態について詳細に説明したが、本発明の権利範囲はこれに限定されず、特許請求の範囲で定義している本発明の基本概念を利用した当業者の種々の変形及び改良形態も本発明の権利範囲に属する。
【符号の説明】
【０１５６】
１００  液晶表示パネル
１１０  第１基板
１２０  第２基板
２１０  光源
２２０  光学シート
２３０  導光板
２３０−１  導光板の第１辺
２３０−２  導光板の第２辺
２３０−３  導光板の第３辺
２３０−４  導光板の第４辺
２４０  第１反射シート
２４２  パターン
２４４  第２反射シート
２６０  プリズム
２７０  遮光部材
３１０  上部カバー
３２０  下部カバー
３２２  下部カバーの第１底面
３２４  下部カバーの第２底面
３２６  下部カバーの傾斜面
３２８  下部カバーの第１側面
３３０  下部カバーの第２側面
３４４  下部カバーの底面
３４６  下部カバーの側面
【図１】
0006661346.tif 000002
【図２】
0006661346.tif 000003
【図３】
0006661346.tif 000004
【図４】
0006661346.tif 000005
【図５】
0006661346.tif 000006
【図６】
0006661346.tif 000007
【図７】
0006661346.tif 000008
【図８】
0006661346.tif 000009
【図９】
0006661346.tif 000010
【図１０】
0006661346.tif 000011
【図１１】
0006661346.tif 000012
【図１２】
0006661346.tif 000013
【図１３】
0006661346.tif 000014
【図１４】
0006661346.tif 000015
【図１５】
0006661346.tif 000016
【図１６】
0006661346.tif 000017
【図１７】
0006661346.tif 000018
【図１８】
0006661346.tif 000019
【図１９】
0006661346.tif 000020
【図２０】
0006661346.tif 000021
【図２１】
0006661346.tif 000022